(57)【要約】【課題】発光装置において、部品点数の増加や事前発光等の確認動作を必要とすることなく、遮蔽物を検知することができる撮像装置を提供する。【解決手段】撮像装置は、発光源４０１の発光量を測定する光量測定手段１１４を有する発光装置を備える撮像装置であって、光量測定手段１１４により測定される発光量が所定の値に達するまで発光源４０１を発光させる発光制御手段と、発光源４０１の発光開始から終了までの発光時間を計測する時間計測手段１０８と、時間計測手段１０８により計測された発光時間が判定閾値以下の場合、前記発光装置の照射面の少なくとも一部が遮蔽されていると判定する。【選択図】図４
2019039979.tif 000002
【特許請求の範囲】
【請求項１】
発光源の発光量を測定する光量測定手段を有する発光装置を備える撮像装置であって、
前記光量測定手段により測定される前記発光量が所定の値に達するまで前記発光源を発光させる発光制御手段と、
前記発光源の発光開始から終了までの発光時間を計測する時間計測手段と、
前記時間計測手段により計測された発光時間が所定の判定閾値以下の場合に、前記発光装置の照射面の少なくとも一部が遮蔽されていると判定する判定手段と、を備えることを特徴とする撮像装置。
【請求項２】
前記発光装置は、前記照射面の角度を変更する回動機構と、前記照射面の角度を検出する角度検出手段と、を有し、
前記判定手段は、前記照射面の角度に応じて前記判定閾値を変更することを特徴とする請求項１に記載の撮像装置。
【請求項３】
前記判定手段は、前記照射面がレンズ光軸に対して上方を向く場合は、前記照射面が前記レンズ光軸と略同方向を向く場合に比べて、前記判定閾値を小さく設定することを特徴とする請求項２に記載の撮像装置。
【請求項４】
入射した光の輝度を測光する測光手段を有し、
前記判定手段は、前記測光手段により測光された輝度値に応じて前記判定閾値を変更することを特徴とする請求項１乃至３のいずれか一項に記載の撮像装置。
【請求項５】
前記測光手段により測光された前記輝度値が所定の値より低い場合、
前記判定手段は、前記判定閾値を小さく設定することを特徴とする請求項４に記載の撮像装置。
【請求項６】
前記発光制御手段は、前記光量測定手段により測定される前記発光量が所定の値に達するまで前記発光源を本発光もしくはプリ発光に比べて小さい光量で発光を行い、前記判定手段により前記照射面の少なくとも一部が遮蔽されていると判定された場合は、本発光を行わないことを特徴とする請求項１乃至５のいずれか一項に撮像装置。
【請求項７】
発光源の発光量を測定する光量測定手段を有する発光装置と、入射した光を測光する測光手段と、を備える撮像装置であって、
前記光量測定手段により測定された発光量が所定の第１閾値を超える場合、遮蔽物はないと判定し、前記光量測定手段により測定された発光量が所定の第１閾値以下で、かつ前記測光手段による輝度情報が所定の第２閾値以上の場合は、前記発光装置の照射面の少なくとも一部が遮蔽されていると判定する判定手段を備えることを特徴とする撮像装置。
【請求項８】
前記判定手段により前記照射面の少なくとも一部が遮蔽されていると判定された場合、警告を行う警告手段を有することを特徴とする請求項１乃至７のいずれか一項に記載の撮像装置。
【請求項９】
発光源の発光量を測定する光量測定手段を有する発光装置を備える撮像装置の制御方法であって、
前記光量測定手段により測定される前記発光量が所定の値に達するまで前記発光源を発光させる発光制御ステップと、
前記発光源の発光開始から終了までの発光時間を計測する時間計測ステップと、
前記時間計測ステップで計測された発光時間が所定の判定閾値以下の場合に、前記発光装置の照射面の少なくとも一部が遮蔽されていると判定する判定ステップと、を備えることを特徴とする撮像装置の制御方法。
【請求項１０】
発光源の発光量を測定する光量測定手段を有する発光装置と、入射した光を測光する測光手段と、を備える撮像装置の制御方法であって、
前記光量測定手段により測定された発光量が所定の第１閾値を超える場合、遮蔽物はないと判定し、前記光量測定手段により測定された発光量が所定の第１閾値以下で、かつ前記測光手段による輝度情報が所定の第２閾値以上の場合は、前記発光装置の照射面の少なくとも一部が遮蔽されていると判定する判定ステップを備えることを特徴とする撮像装置の制御方法。
【発明の詳細な説明】
【技術分野】
【０００１】
本発明は、例えばデジタルカメラ等の撮像装置に関し、特にストロボ光を遮蔽する遮蔽物の検知技術に関する。
【背景技術】
【０００２】
ストロボ装置を搭載するデジタルカメラ等の撮像装置では、撮影者がカメラを把持する際、撮影者の指がストロボ光の照射面を塞いでしまい、正常なストロボ撮影が行えない、いわゆる指掛かりと呼ばれる問題が存在する。また、ストロボ光の照射方向を壁や天井に向け、反射させた間接光によって撮影を行うバウンス機能を付与した場合、撮影者の髪の毛や帽子が遮蔽物となるおそれがある。
【０００３】
これらの問題に対し、特許文献１では、複数のストロボ発光部の前面にそれぞれ遮蔽物を検知するセンサを設けたストロボ装置を備え、前記センサの情報をもとにストロボ発光部を選択して発光させるという技術が知られている。
【０００４】
また、特許文献２では、ストロボ装置のハウジングの内部、もしくは縁部に光センサを配置し、前記光センサで生じた電流を検出することで、指掛かりの有無を判定する技術が知られている。
【先行技術文献】
【特許文献】
【０００５】
【特許文献１】特開２００６−２５９１０７号公報
【特許文献２】特開２００８−５１９５３号公報
【発明の概要】
【発明が解決しようとする課題】
【０００６】
しかし、上記特許文献１では、遮蔽物の検知のため、ストロボ発光部の近傍に遮蔽物を検知するセンサを設ける必要があり、デザイン上の制約となるおそれがある。また、上記特許文献２では、ハウジング内部に光センサを設けることで、デザイン性の自由度を損なうことはないが、指掛りの有無のみを判定するため、遮蔽物の検知のためには、新たにセンサを設ける必要があり、部品点数やコストの増加の要因となる。加えて、遮蔽物検知のために事前発光等の確認動作を必要とする場合、ユーザビリティの低下を招くおそれがある。
【０００７】
そこで、本発明は、発光装置において、部品点数の増加や事前発光等の確認動作を必要とすることなく、遮蔽物を検知することができる撮像装置及びその制御方法を提供することを目的とする。
【課題を解決するための手段】
【０００８】
上記目的を達成するために、本発明は、発光源の発光量を測定する光量測定手段を有する発光装置を備える撮像装置であって、前記光量測定手段により測定される前記発光量が所定の値に達するまで前記発光源を発光させる発光制御手段と、前記発光源の発光開始から終了までの発光時間を計測する時間計測手段と、前記時間計測手段により計測された発光時間が所定の判定閾値以下の場合に、前記発光装置の照射面の少なくとも一部が遮蔽されていると判定する判定手段と、を備えることを特徴とする。
【０００９】
また、本発明は、発光源の発光量を測定する光量測定手段を有する発光装置と、入射光を測光する測光手段と、を備える撮像装置であって、前記光量測定手段により測定された発光量が所定の第１閾値を超える場合は、遮蔽物はないと判定し、前記光量測定手段により測定された発光量が所定の第１閾値以下で、かつ前記測光手段による輝度情報が所定の第２閾値以上の場合は、前記照射面の少なくとも一部が遮蔽されていると判定する判定手段を備えることを特徴とする。
【発明の効果】
【００１０】
本発明によれば、発光装置において、部品点数の増加や事前発光等の確認動作を必要とすることなく、遮蔽物を検知することができる。
【図面の簡単な説明】
【００１１】
【図１】本発明の撮像装置の第１の実施形態であるデジタル一眼レフカメラの斜視図である。
【図２】（ａ）はストロボユニットの照射面が正面発光状態のときのデジタル一眼レフカメラの斜視図、（ｂ）はストロボユニットの照射面がバウンス発光状態のときのデジタル一眼レフカメラの斜視図である。
【図３】デジタル一眼レフカメラの制御系を説明するブロック図である。
【図４】（ａ）はストロボユニットの発光時に照射面の前方に遮蔽物がない正常状態を模式的に示す断面図、（ｂ）はストロボユニットの発光時に照射面の前方に遮蔽物が存在する場合を模式的に示す断面図である。
【図５】遮蔽物検知時におけるストロボユニットの発光時間と光量の関係性を示すグラフ図である。
【図６】ストロボユニットのストロボ発光処理を説明するフローチャート図である。
【図７】外部環境光に応じた遮蔽物検知の閾値設定について説明する図である。
【図８】本発明の撮像装置の第２の実施形態であるデジタル一眼レフカメラにおいて、ストロボユニットの発光前に取得可能な情報を用いて遮蔽物の有無を判断する処理を説明するフローチャート図である。
【図９】本発明の撮像装置の第３の実施形態であるデジタル一眼レフカメラにおいて、ストロボユニットのストロボ発光処理を説明するフローチャート図である。
【発明を実施するための形態】
【００１２】
以下、図面を参照して、本発明の実施形態を説明する。
【００１３】
（第１の実施形態）
図１（ａ）は本発明の撮像装置の第１の実施形態であるデジタル一眼レフカメラの正面側から見た斜視図、図１（ｂ）は図１（ａ）に示すデジタル一眼レフカメラの背面側から見た斜視図である。
【００１４】
図１（ａ）に示すように、本実施形態のデジタル一眼レフカメラ（以下、カメラという。）は、カメラ本体１の正面側のレンズユニット３が交換可能に装着され、カメラ本体１の正面側から見てレンズユニット３の左上には、レリーズ釦１４が設けられている。カメラ本体１の上面部には、ポップアップ可能なストロボユニット４及びアクセサリシュー６が設けられている。アクセサリシュー６は、アクセサリ接点部６１を有しており、外付のストロボユニットやマイクを取り付けることができる。ストロボユニット４は、本発明の発光装置の一例に相当する。
【００１５】
図１（ｂ）に示すように、カメラ本体１の背面側には、レンズユニット３の撮影範囲を確認するためのファインダ部８、ライブビュー映像や撮影画像の確認、種々の設定等に用いるディスプレイ９、スピーカ１０、及び電源スイッチ１１等が配置されている。
【００１６】
次に、図２を参照して、ストロボユニット４について説明する。図２（ａ）はカメラのストロボユニット４がポップアップした状態を示す斜視図、図２（ｂ）はカメラのストロボユニット４がバウンス発光位置にある状態を示す斜視図である。
【００１７】
図２（ａ）は、ストロボユニット４のストロボ光の照射面４０３がレンズユニット３の光軸３ａ（レンズ光軸）と略同方向を向いた状態を示しており、これを正面発光状態とする。図２（ｂ）は、ストロボユニット４のリンク部材４１０（回動機構）の回動によって、照射面４０３が光軸３ａに対してさらに上方向に向けた状態を示しており、これをバウンス発光状態とする。図２（ｂ）は、バウンス発光位置の一例であり、実際には照射面４０３が上方に向いた複数の位置に照射面４０３を係止することができる。
【００１８】
なお、図１は、ストロボ照射面４０３がカメラ本体１内に収納された状態であり、これを収納状態とする。収納状態では、カメラ本体１の係止フック１５にストロボユニット４のフック掛け部４１ａが掛かることでストロボユニット４が係止される。
【００１９】
図３は、ストロボユニット４を含むカメラの制御系を示すブロック図である。図３において、システム制御回路１００は、ＣＰＵ、ＲＯＭ、ＲＡＭ等を有し、カメラ全体の制御を司る。また、システム制御回路１００は、ＥＥＰＲＯＭ１００ａを有しており、時刻計測回路１０８による時刻情報や各設定情報などを記憶することができる。
【００２０】
ストロボユニット４は、撮影環境に光量を付加して撮影を行いたい場合に、ポップアップし、閃光発光させることができる。ストロボユニット４の先端部には、発光源４０１が設けられる。発光源４０１としては、一般的にはキセノン管を用いるが、ＬＥＤなど、何れの発光素子を採用してもよい。また、照射面４０３には、光量測定回路１１４に接続された光ファイバ４０４も配置される。
【００２１】
充電回路１１２がストロボ発光用コンデンサ１１３に電荷を蓄え、システム制御回路１００から発光信号が送られると、発光制御回路１１１が発光源４０１に高電圧を印加することにより、発光を行う。このとき、光ファイバ４０４を通して光量測定回路１１４により発光量が計測され、その積分値が所定の値に達するまで発光を続けることにより、発光量の制御を行う。
【００２２】
より適正な発光を行う場合、撮影前にプリ発光と呼ばれる予備発光を行う場合がある。プリ発光により照射された光は被写体で反射された後、レンズユニット３を通り、ミラーボックス５に配置されたメインミラー５１へと導かれる。その後、メインミラー５１へと導かれた光は、メインミラー５１で一部が反射され、ペンタプリズム８２へ導かれる。
【００２３】
ペンタプリズム８２へ導かれた光は、ペンタプリズム８２の内部でさらに反射を繰り返し、最終的には測光センサ８３へ照射される。測光センサ８３の値は、測光回路８４によって輝度情報に換算され、システム制御回路１００に送られる。発光指令値と、発光により得られた輝度情報とを比較することで、より適正な露出となる指令値を算出することができる。なお、図３における、その他の構成については、通常のカメラが備える公知の構成であるため、ここでは詳細な説明を省略する。
【００２４】
次に、図４乃至図６を参照して、ストロボユニット４の遮蔽物検知方法について説明する。図４（ａ）はストロボユニット４の発光時に照射面４０３の前方に遮蔽物がない正常状態を模式的に示す断面図、図４（ｂ）はストロボユニット４の発光時に照射面４０３の前方に遮蔽物が存在する場合を模式的に示す断面図である。図５は、遮蔽物検知時におけるストロボユニット４の発光時間と光量の関係性を示すグラフ図である。なお、本実施形態では、カメラ本体１に内蔵されたストロボユニット４を例示するが、カメラ本体１のアクセサリシュー６に着脱可能に取り付けられた外部ストロボユニットであってもよい。
【００２５】
図４（ａ）に示すように、ストロボユニット４が発光するとき、発光源４０１から照射された光は、反射傘４０２によって照射面４０３へと集められ、外部へと照射される。このとき、前述したように、光の一部が光ファイバ４０４を通して光量測定回路１１４へと導かれ光量が測定される。図５に示すように、計測された光量は積分値として蓄積され、その値が所定の発光量Ｓとなるまで発光を続けることで発光量が制御される。ここで、所定の発光量Ｓとなるまでの時間を時間ｔ１とする。
【００２６】
一方、図４（ｂ）に示すように、照射面４０３の略前面に遮蔽物９９が存在する場合、照射面４０３から照射された光は、遮蔽物９９で反射され、照射面４０３や反射傘４０２の内部へと返ってくる。その後、遮蔽物９９と反射傘４０２や照射面４０３との間で乱反射が繰り返され、光ファイバ４０４には、正常発光時と比較してより多くの光量が導かれる。その結果、光量測定回路１１４へと導かれる単位時間あたりの光量が増え、図５に示すように、所定の発光量Ｓとなるまでの時間ｔ２が図４（ａ）の時間ｔ１より短くなる。なお、図４（ｂ）では、照射面４０３全体が遮蔽物９９によって遮蔽されている例を示しているが、照射面４０３の少なくとも一部が遮蔽物９９によって遮蔽されていれば同様である。
【００２７】
図６は、ストロボユニット４のストロボ発光処理を説明するフローチャート図である。図６の各処理は、システム制御回路１００のＲＯＭ等に格納されたプログラムがＲＡＭに展開されてＣＰＵ等により実行される。
【００２８】
図６に示すように、システム制御回路１００は、ステップＳ６０１からステップＳ６０３で時刻計測回路１０８によりストロボユニット４の発光開始から所定の発光量Ｓに達するまでの発光時間を計測する。次に、システム制御回路１００は、ステップＳ６０４で、光量測定回路１１４で測定した光量積分値が発光指令値を超えたか否かを判定する。そして、システム制御回路１００は、光量積分値が発光指令値を超えると、所定の発光量Ｓに達したとしてステップＳ６０５及びステップＳ６０６でストロボユニット４の発光及び時刻計測回路１０８による時間計測を終了する。次に、システム制御回路１００は、ステップＳ６０７において遮蔽物の判定処理を行う。
【００２９】
具体的には、システム制御回路１００は、遮蔽物のない正常発光時の発光時間ｔ１（図５参照）を基準とした判定閾値に対して計測された発光時間が短いか否かを判定する。そして、システム制御回路１００は、発光時間が判定閾値以下の場合には、「遮蔽物あり」と判定してステップＳ６０８に進み、そうでない場合には、「遮蔽物なし」と判定してストロボ発光を終了する。なお、判定閾値は、発光や測定のばらつき誤差を吸収するための判定余裕を加えた値とする（図５参照）。
【００３０】
ステップＳ６０８では、システム制御回路１００は、スピーカ１０から警告音を発し、或いはファインダ部８やディスプレイ９に警告アイコンや警告文を表示することにより、ユーザに対して遮蔽物の存在を伝える警告を行う。これにより、ユーザが撮影した画像の確認を行わなかった場合や、連写中においても遮蔽物の存在に気付くことができる。
【００３１】
なお、発光量を直接比較しないのは、瞬間的な光量を測定した場合、ノイズや発光のばらつきにより正確に遮蔽物の判定することが難しく、また、総合的な発光量を測定した場合、発光の積分値は遮蔽物の有無によらず所定の発光量Ｓとなるまで発光が続けられる。このため、遮蔽物検知には利用できないからである。また、警告音や警告文に代えて、振動や光の点灯や点滅等でもよい。
【００３２】
次に、ストロボユニット４のバウンス発光状態における遮蔽物判定の閾値設定について説明する。正面発光状態（図２（ａ）参照）に比べ、バウンス発光状態（図２（ｂ）参照）では、ストロボユニット４の照射面４０３が上面を向くことで、ユーザの髪の毛や帽子なども遮蔽物となりうる。すなわち、バウンス発光状態では、照射面４０３が遮蔽される可能性がより高くなる。
【００３３】
そこで、照射面４０３の角度を検出する角度検出手段(不図示)によりバウンス発光状態と認識した場合は、正面発光状態に比べて、遮蔽物検知に用いる判定閾値の判定余裕（図５参照）を小さく設定する。照射面４０３の角度に応じて、遮蔽物検知の判定閾値を変更することで、遮蔽の可能性が高い使用シーンにおける遮蔽物検知の敏感度を高め、より適切な遮蔽物検知を行うことができるという効果が得られる。
【００３４】
図７を参照して、外部環境光に応じた遮蔽物検知の閾値設定について説明する。前述したように、ストロボユニット４の発光時間を比較することにより、光ファイバ４０４へ流入する光量の変化を検知し、遮蔽物の有無を判定する。図７に示すように、バウンス発光状態で照射面４０３が上方を向き、かつ、太陽光など多くの光量が降り注ぐ環境下でストロボ撮影を行う場合、遮蔽物の有無によらず光ファイバ４０４へ流入する光量が変化し、遮蔽物ありと誤検知してしまう可能性がある。
【００３５】
そこで、外部環境光に応じて遮蔽物検知の閾値設定を行う。カメラ本体１の内部には、レンズユニット３を通して入射した光の輝度を測定する測光センサ８３及び測光回路８４（図３参照）が配置されており、ストロボ光の調光や撮影時の露出の決定に用いられる。測光センサ８３から得られる輝度値が高い場合、遮蔽物検知に用いる閾値の判定余裕（図５参照）を大きく設定し、逆に輝度値が低い場合は、閾値の判定余裕を小さく設定する。
【００３６】
測光センサ８３の輝度情報を用いて、外部環境光に応じた遮蔽物検知の閾値の判定余裕を設定することで、誤検知の懸念がある明るい環境では明確に遮蔽物ありと判定できる場合のみを検知し、外乱の少ない暗い環境下では遮蔽物への敏感度を高めることができる。
【００３７】
以上説明したように、本実施形態では、新たなセンサ等を追加せず、従来ストロボユニットに使用されている発光量制御の構成を用いて遮蔽物検知を行うことで、コストの増加やデザイン自由度の低下を招かないという効果が得られる。加えて、通常の発光プロセスの中で遮蔽物を検知できるため、事前発光等の確認動作を必要とすることなく、ユーザビリティを損なわないという効果も得られる。
【００３８】
（第２の実施形態）
次に、図８を参照して、本発明の撮像装置の第２の実施形態であるカメラについて説明する。なお、上記第１の実施形態と重複する部分については、図及び符号を流用して主に相違点についてのみ説明する。
【００３９】
上記第１の実施形態では、ストロボユニット４の発光時間を比較することにより、光ファイバ４０４へ流入する光量の変化を検知し、遮蔽物の有無を判断する方法について説明した。これに対し、本実施形態では、ストロボユニット４の発光前に取得可能な情報を用いて遮蔽物の有無を判断する。
【００４０】
図８は、ストロボユニット４の発光前に取得可能な情報を用いて遮蔽物の有無を判断する処理を説明するフローチャート図である。図８の各処理は、システム制御回路１００のＲＯＭ等に格納されたプログラムがＲＡＭに展開されてＣＰＵ等により実行される。
【００４１】
ステップＳ８０１では、システム制御回路１００は、ストロボユニット４がポップアップして照射面４０３が外部に露出した状態で照射面４０３の光量、即ち光ファイバ４０４に流入する光量を光量測定回路１１４によって計測し、ステップＳ８０２に進む。このとき、ストロボユニット４は正面発光状態でもバウンス発光状態でも良い。
【００４２】
ステップＳ８０２では、システム制御回路１００は、ステップＳ８０１で得られる光量値が所定の第１閾値を超えるか否かを判断する。照射面４０３が遮蔽されている場合、外部環境光の状況にかかわらず、光ファイバ４０４へ光が多く流入する状況は考えにくい。従って、システム制御回路１００は、ステップＳ８０１で得られる光量値が所定の第１閾値を超える場合は、ステップＳ８０３で「遮蔽物はない」と判定して処理を終了し、第１閾値以下の場合は、ステップＳ８０４に進む。
【００４３】
ステップＳ８０４では、システム制御回路１００は、測光センサ８３により外部環境の測光を行い、ステップＳ８０５に進む。ストロボユニット４の照射面４０３が暗く、かつ外部環境が明るい場合、照射面４０３が遮蔽されている可能性が高い。従って、システム制御回路１００は、ステップＳ８０４での測光センサ８３による輝度情報が所定の第２閾値以上の場合は、「遮蔽物あり」と判定してステップＳ８０６に進み、第２閾値未満の場合は、「遮蔽物なし」と判定して処理を終了する。
【００４４】
ステップＳ８０６では、上記第１の実施形態の図６のステップＳ６０８と同様に、システム制御回路１００は、スピーカ１０から警告音を発し、或いはファインダ部８やディスプレイ９に警告アイコンや警告文を表示し、処理を終了する。なお、以上の処理は、発光待機中において、常時、もしくは所定時間間隔毎に実行する。これにより、特定の条件下においては遮蔽物の有無を発光前に判定することができ、また、発光前に遮蔽物の有無を判定して警告を行うことで、ユーザの撮影失敗を事前に防止し、失敗発光で消費される電力を低減する効果が得られる。
【００４５】
（第３の実施形態）
次に、図９を参照して、本発明の撮像装置の第３の実施形態であるカメラについて説明する。なお、上記第１の実施形態と重複する部分については、図及び符号を流用して主に相違点についてのみ説明する。事前の検知により遮蔽物の有無が判定できない場合は、上記第１の実施形態と同様に、ストロボ発光と同時に遮蔽物の検知を行う。
【００４６】
図９は、ストロボユニット４のストロボ発光処理を説明するフローチャート図である。図９の各処理は、システム制御回路１００のＲＯＭ等に格納されたプログラムがＲＡＭに展開されてＣＰＵ等により実行される。なお、図９のステップＳ９０１、ステップＳ９０３〜ステップＳ９０７及びステップＳ９０９の処理は、上記第１の実施形態（図６）のステップＳ６０１、ステップＳ６０３〜ステップＳ６０７及びステップＳ６０８と同様であるため、詳細な説明は省略する。
【００４７】
図９において、ステップＳ９０２では、システム制御回路１００は、通常の発光、もしくは通常のプリ発光に比べて微小な光量による発光を行う。また、ステップＳ９０３〜ステップＳ９０７までは、上記第１の実施形態（図６）のステップＳ６０３〜ステップＳ６０７と同様の処理を行う。
【００４８】
ここで、ステップＳ９０７において、システム制御回路１００は、発光時間が判定閾値以下で「遮蔽物あり」と判定した場合には、ステップＳ９０８に進み、発光時間が判定閾値を超えて「遮蔽物なし」と判定した場合には、ステップＳ９１０に進む。そして、システム制御回路１００は、ステップＳ９０８でストロボユニット４のストロボ発光を中止し、ステップＳ９０９に進む。
【００４９】
ステップＳ９０９では、上記第１の実施形態の図６のステップＳ６０８と同様に、システム制御回路１００は、スピーカ１０から警告音を発し、或いはファインダ部８やディスプレイ９に警告アイコンや警告文を表示し、処理を終了する。一方、ステップＳ９１０では、システム制御回路１００は、ストロボユニット４のストロボ本発光を行い、処理を終了する。本実施形態では、微小発光による遮蔽物検知により、遮蔽物が存在した場合の投光失敗による電力損失を最小限に抑える効果が得られる。その他の構成、及び作用効果は、上記第１の実施形態と同様である。
【００５０】
なお、本発明は、上記各実施形態に例示したものに限定されるものではなく、本発明の要旨を逸脱しない範囲において適宜変更可能である。
【００５１】
また、本発明は、以下の処理を実行することによっても実現される。即ち、本発明は、上述の実施形態の１以上の機能を実現するプログラムをネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５２】
１  カメラ本体
３  レンズユニット
４  ストロボユニット
９  ディスプレイ
１０  スピーカ
８３  測光センサ
８４  測光回路
９９  遮蔽物
１０８  時刻計測回路
１１４  光量測定回路
４０１  発光源
４０３  照射面
４０４  光ファイバ
【図１】
2019039979.tif 000003
【図２】
2019039979.tif 000004
【図３】
2019039979.tif 000005
【図４】
2019039979.tif 000006
【図５】
2019039979.tif 000007
【図６】
2019039979.tif 000008
【図７】
2019039979.tif 000009
【図８】
2019039979.tif 000010
【図９】
2019039979.tif 000011